(57)【特許請求の範囲】
【請求項１】
複数の記録媒体にわたって記録内容が記録される場合に全記録媒体に対して代表する情報と各記録媒体固有の情報とが記録された第１の管理領域と、
記録媒体に記録される各プログラムに関連する情報が記録された第２の管理領域と、
上記プログラムが記録されたプログラム領域と
から成ることを特徴とする記録媒体。
【請求項２】
上記全記録媒体に対して代表する情報とは、アルバムタイトル、トータルセット数、演奏者名、ジャンル名、商品識別番号のいずれか一つであることを特徴とする請求項１記載の記録媒体。
【請求項３】
上記全記録媒体に対して代表する情報の内、ジャンル名を、複数列挙できることを特徴とする請求項２記載の記録媒体。
【請求項４】
上記全記録媒体に対して代表する情報の内、ジャンル名は、ジャンルテーブルを指定して、ジャンルインデックスを特定することにより設定できることを特徴とする請求項２記載の記録媒体。
【請求項５】
上記各記録媒体固有の情報とは、ディスクタイトル、演奏者名、通し番号、ジャンル名、制作日、制作者のいずれか一つであることを特徴とする請求項１記載の記録媒体。
【請求項６】
上記各記録媒体固有の情報の内、ジャンル名を、複数列挙できることを特徴とする請求項５記載の記録媒体。
【請求項７】
上記各記録媒体固有の情報の内、ジャンル名は、ジャンルテーブルを指定して、ジャンルインデックスを特定することにより設定できることを特徴とする請求項５記載の記録媒体。
【請求項８】
上記各プログラムに関連する情報とは、プログラムタイトル、演奏者名、作詞家名、作曲家名、編曲者名、メッセージ、ジャンル名、国際著作権コードのいずれか一つであることを特徴とする請求項１記載の記録媒体。
【請求項９】
上記各プログラムに関連する情報の内、ジャンル名は、ジャンルテーブルを指定して、ジャンルインデックスを特定することにより設定できることを特徴とする請求項８記載の記録媒体。
【請求項１０】
複数の記録媒体にわたって記録内容が記録される場合に全記録媒体に対して代表する情報と各記録媒体固有の情報とが記録された第１の管理領域と、記録媒体に記録される各プログラムに関連する情報が記録された第２の管理領域と、上記プログラムが記録されたプログラム領域とを有する記録媒体から情報を再生する再生装置であって、
上記第１の管理領域に記録された全記録媒体に対して代表する情報と各記録媒体固有の情報と上記第２の管理領域に記録された各プログラムに関連する情報を再生する再生手段と、
上記再生手段にて再生された第１の管理領域に記録された全記録媒体に対して代表する情報と各記録媒体固有の情報と上記第２の管理領域に記録された各プログラムに関連する情報を記憶する記憶手段と、
上記記憶手段にて記憶された全記録媒体に対して代表する情報と各記録媒体固有の情報と各プログラムに関連する情報を選択的に表示する表示手段と
を備えて成ることを特徴とする再生装置。
【請求項１１】
複数の記録媒体にわたって記録内容が記録される場合に全記録媒体に対して代表する情報と各記録媒体固有の情報とが記録された第１の管理領域と、記録媒体に記録される各プログラムに関連する情報が記録された第２の管理領域と、上記プログラムが記録されたプログラム領域とを有する記録媒体から情報を再生する再生方法であって、
上記第１の管理領域に記録された全記録媒体に対して代表する情報と各記録媒体固有の情報を再生し、上記再生した第１の管理領域に記録された全記録媒体に対して代表する情報と各記録媒体固有の情報とを記憶し、
上記第２の管理領域に記録された各プログラムに関連する情報を再生し、上記再生した第２の管理領域に記録された各プログラムに関連する情報を記憶し、
上記記憶した全記録媒体に対して代表する情報と、各記録媒体固有の情報と、各プログラムに関連する情報を選択的に表示する
ことを特徴とする再生方法。
【発明の詳細な説明】
【０００１】
【発明の属する技術分野】
本発明は、プログラム領域にプログラム情報を記録すると共に、媒体固有の情報や上記プログラムに関連する情報を記録している記録媒体、この記録媒体から上記プログラム情報や上記固有の情報やプログラムに関連する情報を再生する再生装置及び方法に関する。
【０００２】
【従来の技術】
従来、コンパクトディスク（CD）の一種として、音楽情報と共にディスクタイトルやジャンル情報を英数字や漢字で収録できるCD−テキスト（CD-TEXT）が知られている。このCD-TEXTでは、ディスクに対して一つのジャンル情報を記録できるようになっているが、各トラックに対してのジャンル情報を記録することができなかった。
【０００３】
【発明が解決しようとする課題】
ところで、元々のジャンルは、各トラックに付随する情報であり、各トラックに対してのジャンル情報の記録が望まれるようになった。また、各トラックのジャンルが同一でない場合、ディスクに対してのジャンル情報は、代表する複数のジャンルを列挙すべきであるが、一つしか記録できないため、同一ディスクに記録されている他のジャンルの音楽情報を見落としてしまうことになる。また、複数枚のディスクからなるアルバムに対してのジャンル情報も記録できなかった。
【０００４】
さらに記録するジャンルの種類（クラシック、ジャズなど）は本来、国、地域などの文化圏によって異なるが、一義的に特定の国を対象とした音楽ジャンルとなっており、例えば日本で重要なジャンルである演歌というものも存在しなかった。また、ジャンルの種類の異なる国の音楽を集めたようなディスクには対応できなかった。
【０００５】
本発明は、上記実情に鑑みてなされたものであり、各トラックに記録されるプログラムに関連した情報や、ディスクのような記録媒体固有の情報を記録すると共に、かつ複数の記録媒体にわたって記録内容が記録される場合の全記録媒体に対して代表する情報を、各プログラムと共に記録できる記録媒体の提供を目的とする。
【０００６】
また、本発明は、上記実情に鑑みてなされたものであり、上記記録媒体を再生するときに、上記各情報を用いながら多彩な検索を可能とする再生装置及び方法の提供を目的とする。
【０００７】
【課題を解決するための手段】
本発明に係る記録媒体は、上記課題を解決するために、複数の記録媒体にわたって記録内容が記録される場合に全記録媒体に対して代表する情報と各記録媒体固有の情報とが記録された第１の管理領域と、記録媒体に記録される各プログラムに関連する情報が記録された第２の管理領域と、上記プログラムが記録されたプログラム領域とから成る。このため、階層化された情報を効率的に記録することができる。
【０００８】
ここで、上記全記録媒体に対して代表する情報とは、アルバムタイトル、トータルセット数、演奏者名、ジャンル名、商品識別番号のいずれか一つである。また、上記全記録媒体に対して代表する情報の内、ジャンル名を、複数列挙できる。また、上記ジャンル名は、ジャンルテーブルを指定して、ジャンルインデックスを特定することにより設定できる。
【０００９】
また、上記各記録媒体固有の情報とは、ディスクタイトル、演奏者名、通し番号、ジャンル名、制作日、制作者のいずれか一つである。また、上記各記録媒体固有の情報の内、ジャンル名を、複数列挙できる。また、上記ジャンル名は、ジャンルテーブルを指定して、ジャンルインデックスを特定することにより設定できる。
【００１０】
また、上記各プログラムに関連する情報とは、プログラムタイトル、演奏者名、作詞家名、作曲家名、編曲者名、メッセージ、ジャンル名、国際著作権コードのいずれか一つである。また、上記各プログラムに関連する情報の内、ジャンル名は、ジャンルテーブルを指定して、ジャンルインデックスを特定することにより設定できる。
【００１１】
本発明に係る再生装置は、上記課題を解決するために、複数の記録媒体にわたって記録内容が記録される場合に全記録媒体に対して代表する情報と各記録媒体固有の情報とが記録された第１の管理領域と、記録媒体に記録される各プログラムに関連する情報が記録された第２の管理領域と、上記プログラムが記録されたプログラム領域とを有する記録媒体から情報を再生する再生装置であって、上記第１の管理領域に記録された全記録媒体に対して代表する情報と各記録媒体固有の情報と上記第２の管理領域に記録された各プログラムに関連する情報を再生する再生手段と、上記再生手段にて再生された第１の管理領域に記録された全記録媒体に対して代表する情報と各記録媒体固有の情報と上記第２の管理領域に記録された各プログラムに関連する情報を記憶する記憶手段と、上記記憶手段にて記憶された全記録媒体に対して代表する情報と各記録媒体固有の情報と各プログラムに関連する情報を選択的に表示する表示手段とを備えて成る。
【００１２】
このため、ユーザは、上記表示手段を見ながら、多彩な検索再生を行うことができる。
【００１３】
また、本発明に係る再生方法は、上記課題を解決するために、複数の記録媒体にわたって記録内容が記録される場合に全記録媒体に対して代表する情報と各記録媒体固有の情報とが記録された第１の管理領域と、記録媒体に記録される各プログラムに関連する情報が記録された第２の管理領域と、上記プログラムが記録されたプログラム領域とを有する記録媒体から情報を再生する再生方法であって、上記第１の管理領域に記録された全記録媒体に対して代表する情報と各記録媒体固有の情報を再生し、上記再生した第１の管理領域に記録された全記録媒体に対して代表する情報と各記録媒体固有の情報とを記憶し、上記第２の管理領域に記録された各プログラムに関連する情報を再生し、上記再生した第２の管理領域に記録された各プログラムに関連する情報を記憶し、上記記憶した全記録媒体に対して代表する情報と、各記録媒体固有の情報と、各プログラムに関連する情報を選択的に表示する。
【００１４】
【発明の実施の形態】
以下、本発明に係る記録媒体の実施の形態について図面を参照しながら説明する。この実施の形態は、デルタシグマ（ΔΣ）変調により得られる高速1ビットオーディオ信号をプログラム領域と呼ばれるデータゾーン（Data Zone）に高密度記録している光ディスクである。高速1ビット・オーディオ信号は、従来のデジタルオーディオに使われてきたデータのフォーマット（例えばサンプリング周波数Fsが44.1kHz、データ語長が16ビット）に比べて、非常に高いサンプリング周波数と短いデータ語長（例えばサンプリング周波数が44.1kHzの64倍（=64Fs）でデータ語長が1ビット）といった形をしている。このため、直流領域から100kHzを越える広い伝送可能周波数帯域と、オーディオ帯域における120dBに及ぶダイナミックレンジが得られる。この高速1ビット・オーディオ信号は、簡単なアナログローパスフィルターを通すことによって、アナログオーディオ信号に戻すことができる。
【００１５】
この光ディスクは、上記高速1ビット・オーディオ信号を記録するプログラム領域と、この光ディスクを複数枚用意してアルバムを構成するときにこのアルバムを構成する複数枚の光ディスクに対して代表するアルバム情報と、各ディスク固有のディスク情報を記録する第１の管理領域と、またこの光ディスクに記録された各プログラム（トラック）に対応するトラック情報を記録する第２の管理領域とを備えている。
【００１６】
なお、以下では、上記高速1ビット・オーディオ信号等を記録する高密度記録層（HD層）と、コンパクトディスク用のオーディオ信号等を記録するCD層との両方を備えているハイブリット光ディスクを具体例として説明を進める。
【００１７】
始めにハイブリット光ディスクについて図１を用いて説明しておく。このハイブリット光ディスクは、図１の（ｂ）に示す上記HD層には高速1ビット・オーディオ信号によりマスター制作を行うが、図１の（ａ）に示す上記CD層には同時制作したCDサウンドを記録することができる。これによって従来のCDプレーヤでも普通のCDと同じように上記ハイブリット光ディスクを再生することができる。上記CD層及びHD層ともに、内周側から外周側に向かって、リードインゾーン（Lead-in Zone）、データゾーン（Data Zone）、リードアウトゾーン（Lead-out Zone）を備えている。
【００１８】
上記HD層は、上述したように、上記高速1ビット・オーディオ信号をプログラム領域に記録している他、上記アルバムに対して代表するアルバム情報とディスクに関する固有のディスク情報を第１の管理領域に、また上記各プログラムに関連するトラック情報を第２の管理領域に記録している。
【００１９】
以下に上記HD層の第１の管理領域と第２の管理領域という二つの管理領域について図２の詳細なフォーマット図を用いながら説明していく。
【００２０】
図２の（ａ）に示したデータゾーン（Data Zone）は、図２の（ｂ）に示すように2チャンネルステレオの高速1ビット・オーディオ信号によるサウンドを記録する2チャンネルステレオエリア（2-channel Streo Area）と、マルチチャンネルサウンドを記録するマルチチャンネルエリア（Multichannel Area）とをオーディオエリア（Audio Area）内に備えている。また、ＵＤＦファイルシステム（File System）エリアと、ディスク全体がどういうディスクかを示す管理情報TOCを記録したマスター（Master）TOCエリアと、エクストラデータエリア（Extra Data Area）も備えている。
【００２１】
ここで、上記2チャンネルステレオエリア（2-channel Streo Area）には、図示しない複数ｎ個のトラック（Track1,2,3   n）からなる、2チャンネルステレオオーディオトラックス（2-channel Streo Audio Tracks）を図１の（ｂ）に示すように挟む二つのエリアトック（Area TOC-1,Area TOC-2）が配される。
【００２２】
上記ハイブリット光ディスクでは、上記第１の管理領域として上記マスター（Master）TOCエリアを用いることができる。また、上記第２の管理領域として上記二つのエリアトック（Area TOC-1,Area TOC-2）を用いることができる。なお、上記第２の管理領域としてはいずれか一方のエリアトックを用いてもよい。
【００２３】
図２の（ｃ）には、上記第１の管理領域である上記マスター（Master）TOCエリアに記録される、アルバム情報と、ディスク情報の具体例を示す。また、上記第２の管理領域である上記二つのエリアトック（Area TOC-1,Area TOC-2）に記録されるトラック情報の具体例も示す。
【００２４】
アルバム情報としては、ディスクの枚数、アルバム識別番号、アルバムジャンル、アルバムタイトル、アルバムのアーティストを表すものがある。また、ディスク情報としてはディスクの種類、ディスクの制作日、ディスクの識別番号、ディスクのジャンル、ディスクのタイトル、ディスクのアーティスト、ディスクの制作者を表すものがある。また、トラック情報としては、各トラックのタイトル、アーティスト、作曲者、作詞者、ジャンル、編曲者、メッセージ、国際著作権コード（ＩＳＲＣ）を表すものがある。
【００２５】
このように、アルバム情報、ディスク情報、トラック情報は、上位階層から下位階層にわたって階層構造的に上記二つの管理領域に記録される。
【００２６】
すなわち、上記光ディスクは、図２に示すように、データゾーン（Data Zone）のマスタートック（Master TOC）に、複数のディスクにわたって記録内容が記録される場合の全ディスクに対して代表するアルバム情報と各ディスク固有のディスク情報を記録し、エリアトック（Area TOC-1）及び／又はエリアトック（Area TOC-2）にディスクに記録される各プログラムに関連するトラック情報とを記録する。
【００２７】
つまり、上記HD層を有する光ディスクは、本来各トラックに付随する例えばジャンル情報をトラック毎に記録できると共に、ディスク毎、アルバム毎にも記録できる。
【００２８】
さらに、アルバム、ディスクに対しての例えばジャンル情報を複数記録可能とするので、各トラックのジャンル情報が同一でない場合に、代表的なジャンルを列挙して記録することができる。
【００２９】
またさらに、アルバム、ディスクに対してのジャンル情報と、各トラックに対してのジャンル情報を記録管理する領域を、上述したように、マスター（Master）TOCエリアと、エリアトック（Area TOC-1,Area TOC-2）に分けることによって、階層化されたデータを効率的に記録することができる。
【００３０】
特にジャンル情報を記録するときには、このジャンル情報を図３に示すように、ジャンルテーブルの種類を示す番号と、選択したジャンルテーブルにおけるジャンルの種類という構成で記録する。
【００３１】
ジャンルの種類を識別できるように各ジャンル毎に番号などの識別子を割り振り、テーブルを国別などで用意すると共にそのテーブルそのものにも識別子を割り振る。そして、テーブルを示す識別子とこの識別子で指定されるテーブルにおけるジャンルを示す識別子を指定することにより、ジャンルを指定できる。
【００３２】
例えば、図３の（ａ）において、「1」というジャンルテーブルを選び、そのテーブルにおいて「7」というインデックスで「Country」というジャンルの種類を表すことができる。
【００３３】
このため、国や地域によって異なるジャンルの種類をテーブルの切り替えによって可能にすると共に、新規のジャンルテーブルの追加を容易にする。
【００３４】
次に、以上説明してきたハイブリット光ディスクのHD層を再生するための光ディスク再生装置１０について図４を参照しながら説明する。
【００３５】
この光ディスク再生装置１０は、図４に示すように、ハイブリット光ディスク１のHD層から読み出し信号を得るピックアップのような光学読みとり機構１１と、この光学読みとり機構１１の読み出し信号から再生データを生成するＲＦアンプ１３と、このＲＦアンプ１３の再生データに復調デコード処理を施してメインデータと上記各TOCエリアの情報を分離する復調デコーダ１８と、復調デコーダ１８からの上記各TOCエリアの情報をマスター（Master）TOCエリアのデータと、エリアトック（Area TOC-1,Area TOC-2）のデータに分けるデータセパレータ１９と、このデータセパレータ１９からのマスター（Master）TOCエリアのデータと、エリアトック（Area TOC-1,Area TOC-2）のデータをコントローラ２２の制御によって格納するメモリ部２３と、表示する表示部２４とを備えて成る。
【００３６】
また、この光ディスク再生装置１０は、ＲＦアンプ１３からの再生信号に同期したクロック信号を生成する位相ロックループ（ＰＬＬ）回路１７と、ＲＦアンプ１３からのエラー再生信号に基づいて光学読みとり機構１１を光ディスク１に追随させるサーボ信号処理部１４と、光学読みとり機構１１を構成するフォーカスコイルを駆動するためのフォーカスドライバ１５と、トラッキングコイルやスレッド機構を駆動するための各ドライバ１６と、ＲＦアンプ１３からの再生信号から上記光ディスク１をCLV回転させるためのタイミング信号を発生するタイミング発生回路２０と、このタイミング発生回路２０からのタイミング信号に応じてCLV制御信号を生成するCLVプロセッサ２１と、このCLVプロセッサ２１からのCLV制御信号を受け取り、光ディスク１をCLV回転するスピンドルモータ１２も備えている。
【００３７】
さらに、この光ディスク再生装置１０は、データセパレータ１９からの上記各TOCデータを解読して、表示部２４にグラフィックス情報を表示させるコントローラ２２と、このコントローラ２２に接続される操作部２９、上記復調デコーダ１８からのメインデータＭをアナログ信号に変換するD/Aコンバータ２５と、上記コントローラ２２により制御されてアナログオーディオ信号のボリュームをコントロールするボリュームコントローラ２６と、アンプ２７と、スピーカ２８も備えている。
【００３８】
ここで、光学読み取り機構１１は、光学レンズ、レーザ、ディテクタ、フォーカスコイルなどから構成される。フォーカスコイルを駆動するフォーカスドライバ１５は、サーボ信号処理回路１４によって制御される。また、光学読み取り機構１１は、上記各部の他、光学レンズを光ディスク１の半径方向に駆動するトラッキングコイル、及び光学系を光ディスク１の半径方向に駆動するスレッド機構によっても構成され、各コイルは各ドライバ１６によって直接駆動される。
【００３９】
なお、復調デコーダ１８、データセパレータ１９、ＰＬＬ回路１７、サーボ信号処理回路１４、タイミング発生回路２０及びＣＬＶプロセッサ２１は、ディジタルシグナルプロセッサ内に構成されていてもよい。
【００４０】
次に、上記構成の光ディスク再生装置１０の動作について図５のフローチャートを用いて説明する。この動作はコントローラ２２の制御によって行われる。
【００４１】
先ず、ステップＳ１でデータセパレータ１９から送られてきたマスターTOC（Master-TOC）を読み、ステップＳ２でアルバム情報名をメモリ部２３にストアし、ステップＳ３でディスク情報をメモリ部２３にストアする。
【００４２】
次に、エリアTOC（Area TOC）を読み、ステップＳ５で各プログラムに対応する情報、すなわちトラック情報をメモリ部２３にストアする。
【００４３】
そして、ステップＳ６でアルバム情報を表示部２４に表示すると共に、ステップＳ７でディスク情報を表示部２３に表示する。
【００４４】
次に、操作部２９において「再生キー」が押されたとステップＳ８で判断したら、ステップＳ９に進み、メモリ部２３から対応する曲（プログラム）のトラック情報を読み出して、ステップＳ１０で表示し、ステップＳ１１で再生する。
【００４５】
一方、ステップＳ８で「再生キー」が押されていないと判断すると、ステップＳ６に戻る。
【００４６】
したがって、この光ディスク再生装置１０によれば、光ディスク１に階層化されて記録された、アルバム情報、ディスク情報、トラック情報を用いた多彩な検索再生が可能になる。
【００４７】
以上、本発明によれば、各トラック（プログラム）に対しての例えばジャンル情報が記録可能となる。また、複数の記録媒体からなるアルバムに対しての例えばジャンル情報が記録可能となる。また、一つの記録媒体（例えばディスク）や、アルバムに対しては、複数のジャンル情報を列挙して記録することが可能となり、一つに絞り込む手間を削減できる。
【００４８】
さらにまた、それぞれの国にしかないジャンルを集めたような場合も対応可能となる。また、例えばジャンル情報を階層化しているので、管理が容易となる。再生装置側では多彩な検索再生を行うことができる。
【００４９】
さらにまた、テーブルの切り替えにより国や地域によって異なるジャンルの種類に対応可能となる。また、新しいジャンルの種類を定義したテーブルの新規追加が容易となる。
【００５０】
【発明の効果】
本発明に係る記録媒体は、各トラックに記録されるプログラムに関連した情報や、ディスクのような記録媒体固有の情報を記録すると共に、複数の記録媒体にわたって記録内容が記録される場合の全記録媒体に対して代表する情報を、各プログラムと共に記録できる。
【００５１】
また、本発明に係る再生装置及び方法は、上記記録媒体を再生するときに、上記各情報を用いながら多彩な検索再生を可能とする。
【図面の簡単な説明】
【図１】本発明に係る記録媒体の実施の形態となる光ディスクの具体例の基本的なフォーマット図である。
【図２】上記図１に示した光ディスクの具体例の詳細なフォーマット図である。
【図３】ジャンル情報を説明するための図である。
【図４】上記光ディスクの具体例を再生する光ディスク再生装置の構成を示すブロック図である。
【図５】上記光ディスク再生装置の動作を説明するためのタイミングチャートである。
【符号の説明】
１  ハイブリット光ディスク、１０  光ディスク再生装置、１９  データセパレータ、２２  コントローラ、２４表示部
【図１】
0004016155.tif 000002
【図２】
0004016155.tif 000003
【図３】
0004016155.tif 000004
【図４】
0004016155.tif 000005
【図５】
0004016155.tif 000006